(57)【要約】【課題】  使用者の口と鼻とを覆うマスク本体と、マスク本体を使用者の頭部に装着するための複数の紐部材とを備え、少なくとも１本の紐部材の一端部または両端部が直接マスク本体に接着固定された使い捨てマスクであって、紐部材端部とマスク本体との接着部の接着強度が高い使い捨てマスクを提供する。【解決手段】  使用者の口と鼻とを覆うマスク本体と、マスク本体を使用者の頭部に装着するための複数の紐部材とを備え、少なくとも１本の紐部材の一端部または両端部が直接マスク本体に接着固定されており、前記接着固定部において、紐部材端部とマスク本体との当接面のみならず紐部材端部の前記当接面とは反対側の表面にも接着剤が塗布されており、前記反対側表面に塗布された接着剤は紐部材端部周縁近傍のマスク本体表面まで延在している。【選択図】  図１
2019203217.tif 000002
【特許請求の範囲】
【請求項１】
使用者の口と鼻とを覆うマスク本体と、マスク本体を使用者の頭部に装着するための複数の紐部材とを備え、少なくとも１本の紐部材の一端部または両端部が直接マスク本体に接着固定されており、前記接着固定部において、紐部材端部とマスク本体との当接面のみならず紐部材端部の前記当接面とは反対側の表面にも接着剤が塗布されており、前記反対側表面に塗布された接着剤は紐部材端部周縁近傍のマスク本体表面まで延在していることを特徴とする使い捨てマスク。
【請求項２】
前記反対側表面に塗布され紐部材端部周縁近傍のマスク本体表面まで延在している接着剤は、面状に延在していることを特徴とする請求項１に記載の使い捨てマスク。
【請求項３】
前記反対側表面に塗布され紐部材端部周縁近傍のマスク本体表面まで延在している接着剤は、線状に延在していることを特徴とする請求項１に記載の使い捨てマスク。
【請求項４】
前記反対側表面に塗布され紐部材端部周縁近傍のマスク本体表面まで延在している接着剤は、紐部材端部周縁に複数の点状に分散配置されていることを特徴とする請求項１に記載の使い捨てマスク。
【請求項５】
マスク本体が複層構造のフィルタで構成されており、マスク本体の紐部材端部との当接部が全層に亙って溶着されていることを特徴とする請求項１乃至４の何れか１項に記載の使い捨てマスク。
【発明の詳細な説明】
【技術分野】
【０００１】
本発明は、使い捨てマスクに関するものである。
【背景技術】
【０００２】
使用者の口と鼻とを覆うマスク本体と、マスク本体を使用者の頭部に装着するための複数の紐部材とを備え、紐部材の両端部が直接マスク本体に接着固定された使い捨てマスクが特許文献１に開示されている。
【先行技術文献】
【特許文献】
【０００３】
【特許文献１】特表２０１７−５３７２３４号公報
【発明の概要】
【発明が解決しようとする課題】
【０００４】
紐部材端部をマスク本体に接着固定する場合、通常、紐部材端部とマスク本体の当接面のみに接着剤を塗布することになる。この場合、紐部材がマスク表面に対して面外方向へ引っ張られると、接着固定部が容易に引き剥がされる可能性がある。
本発明は上記問題に鑑みてなされたものであり、使用者の口と鼻とを覆うマスク本体と、マスク本体を使用者の頭部に装着するための複数の紐部材とを備え、少なくとも１本の紐部材の一端部または両端部が直接マスク本体に接着固定された使い捨てマスクであって、紐部材端部とマスク本体との接着部の接着強度が高い使い捨てマスクを提供することを目的とする。
【課題を解決するための手段】
【０００５】
上記課題を解決するために、本発明においては、使用者の口と鼻とを覆うマスク本体と、マスク本体を使用者の頭部に装着するための複数の紐部材とを備え、少なくとも１本の紐部材の一端部または両端部が直接マスク本体に接着固定されており、前記接着固定部において、紐部材端部とマスク本体との当接面のみならず紐部材端部の前記当接面とは反対側の表面にも接着剤が塗布されており、前記反対側表面に塗布された接着剤は紐部材端部周縁近傍のマスク本体表面まで延在していることを特徴とする使い捨てマスクを提供する。
本発明に係る使い捨てマスクにおいては、紐部材端部とマスク本体の当接面の接着部と、前記当接面とは反対側の表面に塗布されて紐部材端部周縁近傍のマスク本体表面まで延在している接着剤とマスク本体表面との接着部とが、紐部材がマスク表面に対して面外方向へ引っ張られた時に、紐部材の引き剥がしに抵抗するので、紐部材端部とマスク本体との接着部の接着強度が高まる。
本発明の好ましい態様においては、前記反対側表面に塗布され紐部材端部周縁近傍のマスク本体表面まで延在している接着剤は面状に延在している。
本発明の好ましい態様においては、前記反対側表面に塗布され紐部材端部周縁近傍のマスク本体表面まで延在している接着剤は線状に延在している
本発明の好ましい態様においては、前記反対側表面に塗布され紐部材端部周縁近傍のマスク本体表面まで延在している接着剤は、紐部材端部周縁に複数の点状に分散配置されている。
紐部材端部とマスク本体との当接面とは反対側の紐部材端部表面に塗布され紐部材端部周縁近傍のマスク本体表面まで延在する接着剤が面状に延在する場合は、当該接着剤とマスク本体表面との接着部の面積が大になり、紐部材端部とマスク本体との接着部の接着強度が大幅に増加する。紐部材端部とマスク本体との当接面とは反対側の紐部材端部表面に塗布され紐部材端部周縁近傍のマスク本体表面まで延在する接着剤が線状に延在する場合、或いは紐部材端部とマスク本体との当接面とは反対側の紐部材端部表面に塗布され紐部材端部周縁近傍のマスク本体表面まで延在する接着剤が紐部材端部周縁に複数の点状に分散配置されている場合は、面状に延在する場合に比べて接着強度の増加量は低下するが、接着剤の消費量が低減する。
本発明の好ましい態様においては、マスク本体が複層構造のフィルタで構成されており、マスク本体の紐部材端部との当接部が全層に亙って溶着されている。
マスク本体は一般に合成樹脂不織布フィルタの複層構造体であるが、紐部材端部をマスク本体に接着する前に、マスク本体の紐部材端部との当接部を予め全層に亙って溶着しておくのが望ましい。接着部に引き剥がし力が加わった時にマスク本体の表層が破れる事態の発生が防止され、接着強度が向上する。
【図面の簡単な説明】
【０００６】
【図１】本発明の実施例に係る使い捨てマスクの外観斜視図である。
【図２】本発明の実施例に係る使い捨てマスクの装着状態を示す図である。（ａ）は顔面側から見た斜視図であり、（ｂ）後頭部側から見た斜視図である。
【図３】本発明の他の実施例に係る使い捨てマスクの外観斜視図である。
【図４】本発明の他の実施例に係る使い捨てマスクの外観斜視図である。
【発明を実施するための形態】
【０００７】
本発明の実施例に係る使い捨てマスクを説明する。
図１に示すように、使い捨てマスク１は、使用者の口と鼻とを覆う保形性を有する碗状のマスク本体２と、マスク本体２の周縁部から径方向内方へ延びる環状の接顔布２’と、マスク本体２を使用者の頭部に装着するための左右一対の偏平な紐部材３とを備えている。紐部材３の一端部はマスク本体２突面の上縁２ａ近傍に直接接着固定されており、他端部はマスク本体２突面の側縁２ｂ下部近傍に固定された長さ調整具４に取り付けられている。一方の紐部材３に連結具５が取り付けられている。
紐部材３の前記一端部の接着固定部において、紐部材３の前記一端部とマスク本体２との当接面のみならず、紐部材３の前記一端部の前記当接面とは反対側の表面にも接着剤６が塗布されており、接着剤６は、紐部材３の前記一端部周縁近傍のマスク本体２の表面まで延在している。
接着剤６としては光硬化型接着剤、ホットメルト接着剤が効果的である。
図２に示すように、使い捨てマスク１の使用時において、左右の紐部材３は使用者の後頭部まで引き回され連結具５を用いて連結されている。左右の紐部材３の下側延在部は左右の耳の下方で略水平に延在し、左右の紐部材３の上側延在部は使用者の左右の耳の基部の上縁に当接し、前記当接部を頂点とする山形に延在する。
【０００８】
使い捨てマスクに１おいては、紐部材３の前記一端部とマスク本体２の当接面の接着部と、紐部材３の前記一端部の前記当接面とは反対側の表面に塗布されて紐部材端部周縁近傍のマスク本体２表面まで延在している接着剤６とマスク本体２表面との接着部とが、紐部材３がマスク２表面に対して面外方向へ引っ張られた時に、紐部材３の引き剥がしに抵抗するので、紐部材３の前記一端部とマスク本体２との接着部の接着強度が高まる。
紐部材３の前記一端部のマスク本体２との当接面とは反対側の表面に塗布されて紐部材端部周縁近傍のマスク本体表面まで延在する接着剤６は、図１、２に示すように面状に延在しても良く、或いは図３に示すように、線状に延在しても良い。紐部材３の前記一端部のマスク本体２との当接面とは反対側の表面に塗布されて紐部材端部周縁近傍のマスク本体表面まで延在する接着剤６が面状に延在する場合は、当該接着剤６とマスク本体２表面との接着部の面積が大になり、紐部材３の前記一端部とマスク本体２との接着固定部の接着強度が大幅に増加する。紐部材３の前記一端部のマスク本体２との当接面とは反対側の表面に塗布されて紐部材端部周縁近傍のマスク本体表面まで延在する接着剤６が線状に延在する場合は、面状に延在する場合に比べて接着強度の増加量は低下するが、接着剤６の消費量が低減する。
紐部材３の前記一端部のマスク本体２との当接面とは反対側の表面に塗布されて紐部材端部周縁近傍のマスク本体表面まで延在する接着剤６は、図４に示すように、紐部材３端部周縁に複数の点状に分散配置されても良い。面状に延在する場合に比べて接着強度の増加量は低下するが、接着剤６の消費量が低減する。
マスク本体２は一般に合成樹脂不織布フィルタの複層構造体であるが、紐部材３端部をマスク本体２に接着する前に、マスク本体２の紐部材３端部との当接部を予め全層に亙って溶着しておくのが望ましい。接着部に引き剥がし力が加わった時にマスク本体２の表層が破れる事態の発生が防止され、接着強度が向上する。
紐部材３の前記一端部をマスク本体２の突面の側縁２ｂ上部近傍に直接接着固定しても良い。
紐部材３の前記一端部のみならず、前記他端部もマスク本体２に直接接着固定しても良い。
紐部材３の前記一端部に代えて前記他端部をマスク本体２に直接接着固定し、前記一端部をマスク本体２に固定された長さ調整具４に取り付けても良い。
左右一対の紐部材３に代えて、上下一対の紐部材を配設しても良い。この場合、上側の紐部材の両端部及びまたは下側の紐部材の両端部がマスク本体２に直接接着固定されることになる。
マスク本体２は保形性を有する碗形状のものに限定されない。折り畳み式でも良く、立体形状を形成し得るプリーツ状の折り目を有するものでも良い。
【産業上の利用可能性】
【０００９】
本発明は、使用者の口と鼻とを覆うマスク本体と、マスク本体を使用者の頭部に装着するための複数の紐部材とを備え、少なくとも１本の紐部材の一端部または両端部が直接マスク本体に接着固定された使い捨てマスクに広く利用可能である。
【符号の説明】
【００１０】
１  使い捨てマスク
２  マスク本体
２ａ  上縁
２ｂ  側縁
２’接顔布 
３  紐部材
４  長さ調整具
５  連結具
６  接着剤
【図１】
2019203217.tif 000003
【図２】
2019203217.tif 000004
【図３】
2019203217.tif 000005
【図４】
2019203217.tif 000006